(57)【要約】【課題】接続された携帯オーディオ端末が楽曲情報を記憶したサーバに接続することなく、楽曲情報を取得することができる「オーディオ装置」を提供することである。【解決手段】記録媒体に記録された一又は複数の楽曲のオーディオ情報を識別するための識別情報と楽曲情報とが対応付けられて記憶された携帯オーディオ端末が接続されたときに、オーディオ装置の記憶部に楽曲情報が対応付けられることなく記憶された識別情報と同じ識別情報が前記携帯オーディオ端末に記憶されていると識別情報有無判定手段によって判定されたときに、その同じ識別情報に対応付けて前記携帯オーディオ端末に記憶された楽曲情報を当該携帯オーディオ端末から取得して、該楽曲情報を前記記憶部に前記識別情報に対応付けて記憶させる楽曲情報追加記憶手段とを有する構成となる。【選択図】図３
2014078293.tif 000002
【特許請求の範囲】
【請求項１】
記録媒体に記録された一又は複数の楽曲のオーディオ情報と、各楽曲のオーディオ情報を識別するための識別情報とを当該記録媒体から読み出してそれらを対応付けて記憶部に記憶させ、該記憶部に記憶された識別情報に対応するオーディオ情報にて再生されるべき楽曲に関する情報である楽曲情報を取得したときに、その楽曲情報を前記記憶部に前記識別情報に対応付けて記憶させ、前記記憶部に記憶されたオーディオ情報を用いた楽曲再生に係る処理及び前記楽曲情報を用いた所定の処理を行うオーディオ装置であって、
記録媒体に記録された一又は複数の楽曲のオーディオ情報を識別するための識別情報と楽曲情報とが対応付けられて記憶された携帯オーディオ端末が当該オーディオ装置に接続されたときに、前記記憶部に楽曲情報が対応付けられることなく記憶された識別情報と同じ識別情報が前記携帯オーディオ端末に記憶されているか否かを判定する識別情報有無判定手段と、
前記識別情報有無判定手段により、前記記憶部に楽曲情報が対応付けられることなく記憶された識別情報と同じ識別情報が前記携帯オーディオ端末に記憶されていると判定されたときに、その同じ識別情報に対応付けて前記携帯オーディオ端末に記憶された楽曲情報を当該携帯オーディオ端末から取得して、該楽曲情報を前記記憶部に前記識別情報に対応付けて記憶させる楽曲情報追加記憶手段とを有するオーディオ装置。
【請求項２】
前記識別情報有無判定手段は、前記記憶部に楽曲情報が対応付けられることなく記憶された識別情報と同じ識別情報が前記携帯オーディオ端末に記憶されているか否かの判定を、前記携帯オーディオ端末に所定期間において記憶された楽曲情報に対応する識別情報について行う請求項１に記載のオーディオ装置。
【請求項３】
前記識別情報有無判定手段は、前記記憶部に楽曲情報が対応付けられることなく記憶された識別情報と同じ識別情報が前記携帯オーディオ端末に記憶されているか否かの判定を、前記携帯オーディオ端末に最新の所定期間において記憶された楽曲情報に対応する識別情報について行う請求項２に記載のオーディオ装置。
【請求項４】
前記記憶部において、楽曲情報が対応付けられた識別情報と、楽曲情報が対応付けられていない識別情報とが区別されて記憶されている請求項１乃至３のいずれかに記載のオーディオ装置。
【請求項５】
前記記憶部には、楽曲情報が対応付けられることなく記憶された識別情報と、楽曲情報が対応付けられて記憶された識別情報とを区別するフラグ情報が記憶されている請求項４に記載のオーディオ装置。
【請求項６】
前記携帯オーディオ端末に記憶された楽曲情報を取得し、前記記憶部に記憶したときに、当該楽曲情報を取得したことを報知する楽曲情報取得報知手段を有する請求項１乃至５のいずれかに記載のオーディオ装置。
【請求項７】
前記記憶部において前記楽曲情報が対応付けられることなく記憶されている前記識別情報に対応する各楽曲のオーディオ情報に従って再生されるべき楽曲の数を含む楽曲記憶状況情報を生成し、当該楽曲記憶状況情報を表示部に表示させる楽曲記憶状況表示制御手段を有する請求項１乃至６のいずれかに記載のオーディオ装置。
【請求項８】
前記楽曲記憶状況表示制御手段は、前記記憶部に楽曲情報が対応付けられることなく記憶された識別情報と同じ識別情報に対応付けて前記携帯オーディオ端末に記憶された楽曲情報を当該携帯オーディオ端末から取得して、該楽曲情報を前記記憶部に前記識別情報に対応付けて記憶させた際に、前記楽曲記憶状況情報を前記表示部に表示させる請求項７に記載のオーディオ装置。
【請求項９】
前記記憶媒体に記憶された一又は複数の楽曲のオーディオ情報に対応付けられた識別情報として、ＴＯＣ情報を用いる請求項１乃至８のいずれかに記載のオーディオ装置。
【請求項１０】
請求項１乃至請求項９のいずれかに記載のオーディオ装置を備える車載機器。
【発明の詳細な説明】
【技術分野】
【０００１】
本発明は、オーディオ情報、識別情報、及び楽曲情報を記憶部に記憶する機能を備え、記憶部に記憶されたオーディオ情報を用いた楽曲再生に係る処理及び楽曲情報を用いた所定の処理を行うオーディオ装置及びそれを用いた車載機器に関する。
【背景技術】
【０００２】
従来、特許文献１に記載の車載用オーディオ装置が知られている。この車載用オーディオ装置では、音楽ＣＤに記録されているデジタル形式の音声データを抽出し、ファイル形式を変換して保存（リッピング）するときに、音楽ＣＤに関する情報であって、インターネット回線を介して予め音楽ＣＤの楽曲を特定するＴＯＣ情報に対応付けられて記憶されたサーバから取得したアーティスト名やアルバム名等の付加情報の有無を判定し、付加情報がないと判定されたときに、音楽ＣＤを識別するためにタイトル情報の入力画面を表示させることによってタイトル情報を入力させ、付加情報が有ると判定され当該付加情報を取得するとき、ＴＯＣ情報とタイトル情報をホームＰＣに送信し、この送信に応答して音楽ＣＤに関する付加情報を取得し、記憶するようになっている。この構成により、ＴＯＣ情報により付加情報検索を実行したときに、ＴＯＣ情報が同一である場合においても、複数の検索ヒットした付加情報のリストを取得しても、入力したタイトル情報に対応する付加情報を検索することができるので、どの付加情報が正しい音楽ＣＤに対応するものなのかを判定することが可能となっている。
【先行技術文献】
【特許文献】
【０００３】
【特許文献１】特開２００７−１４１３７９号公報
【発明の概要】
【発明が解決しようとする課題】
【０００４】
しかしながら、前述した特許文献１に記載の車載用オーディオ装置では、音楽ＣＤをリッピングする際に、当該音楽ＣＤに関する付加情報（楽曲情報）が予め車載用オーディオ装置内に設けられたデータベース内にある場合においても、ＴＯＣ情報とタイトル情報をホームＰＣに送信することにより、正しい付加情報（楽曲情報）を取得することが可能となっているが、ホームＰＣはインターネット回線を通じて付加情報（楽曲情報）が記憶されたサーバから付加情報（楽曲情報）を取得している。すなわち、車載用オーディオ装置（車載機器）が音楽ＣＤをリッピングする毎に付加情報（楽曲情報）が記憶されたサーバに接続する必要がある。
【０００５】
ところで、近年、ホームＰＣによって音楽情報をリッピングし、リッピングした楽曲データ（オーディオ情報）に楽曲情報が記憶されたサーバから取得した楽曲情報を対応付けて記憶する携帯オーディオ端末が考えられている。この携帯オーディオ端末には、ホームＰＣにリッピングされたオーディオ情報及びオーディオ情報に対応する楽曲情報が記憶することが可能となっており、この携帯オーディオ端末においてオーディオ情報を音声出力することができるようになっている。しかしながら、特許文献１に記載の車載用オーディオ装置におけるホームＰＣに代えて、このような携帯オーディオ端末を車載機用オーディオ装置に接続するようにすると、当該携帯オーディオ端末が楽曲情報を記憶したサーバに接続する必要があり、携帯オーディオ端末が楽曲情報を記憶したサーバに接続する機能を有していない場合、携帯オーディオ端末に記憶された楽曲情報があったとしても有効に利用することができない。
【０００６】
本発明は、このような事情に鑑みてなされたもので、オーディオ情報及び楽曲情報が記録された携帯オーディオ端末が接続された際に、携帯オーディオ端末が楽曲情報を記憶したサーバに接続することなく、楽曲情報を取得することを可能とするオーディオ装置及びそれを用いた車載機器を提供するものである。
【課題を解決するための手段】
【０００７】
本発明に係るオーディオ装置は、記録媒体に記録された一又は複数の楽曲のオーディオ情報と、各楽曲のオーディオ情報を識別するための識別情報とを当該記録媒体から読み出してそれらを対応付けて記憶部に記憶させ、該記憶部に記憶された識別情報に対応するオーディオ情報にて再生されるべき楽曲に関する情報である楽曲情報を取得したときに、その楽曲情報を前記記憶部に前記識別情報に対応付けて記憶させ、前記記憶部に記憶されたオーディオ情報を用いた楽曲再生に係る処理及び前記楽曲情報を用いた所定の処理を行うオーディオ装置であって、記録媒体に記録された一又は複数の楽曲のオーディオ情報を識別するための識別情報と楽曲情報とが対応付けられて記憶された携帯オーディオ端末が当該オーディオ装置に接続されたときに、前記記憶部に楽曲情報が対応付けられることなく記憶された識別情報と同じ識別情報が前記携帯オーディオ端末に記憶されているか否かを判定する識別情報有無判定手段と、前記識別情報有無判定手段により、前記記憶部に楽曲情報が対応付けられることなく記憶された識別情報と同じ識別情報が前記携帯オーディオ端末に記憶されていると判定されたときに、その同じ識別情報に対応付けて前記携帯オーディオ端末に記憶された楽曲情報を当該携帯オーディオ端末から取得して、該楽曲情報を前記記憶部に前記識別情報に対応付けて記憶させる楽曲情報追加記憶手段とを有する構成となる。
【０００８】
このような構成によれば、記録媒体から一又は複数の楽曲のオーディオ情報と、各楽曲のオーディオ情報を識別するための識別情報とを読み出して、それらを対応付けて記憶部に記憶させ、記憶された識別情報に対応する楽曲情報を取得したときに、その楽曲情報を記憶部に識別情報に対応付けて記憶させ、記憶部に記憶されたオーディオ情報を用いた楽曲再生に係る処理及び前記楽曲情報を用いた所定の処理を行うオーディオ装置に、記録媒体に記録された一又は複数の楽曲のオーディオ情報を識別するための識別情報と楽曲情報とが対応付けられて記憶された携帯オーディオ端末が接続されたときに、記憶部に楽曲情報が対応付けられることなく記憶された識別情報と同じ識別情報が携帯オーディオ端末に記憶されていると判定されたときに、その同じ識別情報に対応付けて携帯オーディオ端末に記憶された楽曲情報を取得して、楽曲情報を記憶部に識別情報に対応付けて記憶させることが可能となる。
【０００９】
本発明に係るオーディオ装置において、前記識別情報有無判定手段は、前記記憶部に楽曲情報が対応付けられることなく記憶された識別情報と同じ識別情報が前記携帯オーディオ端末に記憶されているか否かの判定を、前記携帯オーディオ端末に所定期間において記憶された楽曲情報に対応する識別情報について行う構成とすることができる。
【００１０】
このような構成によれば、記憶部に楽曲情報が対応付けられることなく記憶された識別情報と同じ識別情報が携帯オーディオ端末に記憶されているか否かの判定を、携帯オーディオ端末に所定期間において記憶された楽曲情報に対応する識別情報について行うので、所望の携帯オーディオ端末に記憶された楽曲情報をより的確に取得することが可能となる。
【００１１】
本発明に係るオーディオ装置において、前記識別情報有無判定手段は、前記記憶部に楽曲情報が対応付けられることなく記憶された識別情報と同じ識別情報が前記携帯オーディオ端末に記憶されているか否かの判定を、前記携帯オーディオ端末に最新の所定期間において記憶された楽曲情報に対応する識別情報について行う構成とすることができる。
【００１２】
このような構成によれば、記憶部に楽曲情報が対応付けられることなく記憶された識別情報と同じ識別情報が携帯オーディオ端末に記憶されているか否かの判定を、携帯オーディオ端末に最新の所定期間において記憶された楽曲情報に対応する識別情報について行うので、直近に携帯オーディオ端末に記憶された楽曲情報をより迅速的確に取得することが可能となる。
【００１３】
本発明に係るオーディオ装置は、前記記憶部において、楽曲情報が対応付けられた識別情報と、楽曲情報が対応付けられていない識別情報とが区別されて記憶されている構成とすることができる。
【００１４】
このような構成によれば、記憶部に楽曲情報が対応付けられた識別情報と楽曲情報が対応付けられていない識別情報とが区別されて記憶されていることから、楽曲情報が対応付けられていない識別情報についてのみ、対応する識別情報が携帯オーディオ端末に記憶されているか否かの判定をすればよいので、より迅速的確に携帯オーディオ端末に記憶された楽曲情報を取得することが可能となる。
【００１５】
本発明に係るオーディオ装置において、前記記憶部には、楽曲情報が対応付けられることなく記憶された識別情報と、楽曲情報が対応付けられて記憶された識別情報とを区別するフラグ情報が記憶されている構成とすることができる。
【００１６】
このような構成によれば、記憶部に楽曲情報が対応付けられることなく記憶された識別情報と、楽曲情報が対応付けられて記憶された識別情報とを区別するフラグ情報が記憶されているので、フラグ情報に従って、対応する識別情報が携帯オーディオ端末に記憶されているか否かの判定をすればよいので、より迅速的確に携帯オーディオ端末に記憶された楽曲情報を取得することが可能となる。
【００１７】
本発明に係るオーディオ装置は、前記携帯オーディオ端末に記憶された楽曲情報を取得し、前記記憶部に記憶したときに、当該楽曲情報を取得したことを報知する楽曲情報取得報知手段を有する構成とすることができる。
【００１８】
このような構成によれば、携帯オーディオ端末に記憶された楽曲情報を取得し記憶部に記憶したときに、楽曲情報を取得したことを報知するので、いずれのオーディオ情報を識別する識別情報について楽曲情報が対応付けられたのかを認識することが可能となる。
【００１９】
本発明に係るオーディオ装置は、前記記憶部において前記楽曲情報が対応付けられることなく記憶されている前記識別情報に対応する各楽曲のオーディオ情報に従って再生されるべき楽曲の数を含む楽曲記憶状況情報を生成し、当該楽曲記憶状況情報を表示部に表示させる楽曲記憶状況表示制御手段を有する構成とすることができる。
【００２０】
このような構成によれば、記憶部において楽曲情報が対応付けられることなく記憶されている識別情報に対応する各楽曲のオーディオ情報に従って再生されるべき楽曲の数を含む楽曲記憶状況情報を生成し、表示部に表示させるので、その表示部を見ることにより、どれだけの楽曲数について楽曲情報が対応付けられていないのかを認識することが可能となる。
【００２１】
本発明に係るオーディオ装置において、前記楽曲記憶状況表示制御手段は、前記記憶部に楽曲情報が対応付けられることなく記憶された識別情報と同じ識別情報に対応付けて前記携帯オーディオ端末に記憶された楽曲情報を当該携帯オーディオ端末から取得して、該楽曲情報を前記記憶部に前記識別情報に対応付けて記憶させた際に、前記楽曲記憶状況情報を前記表示部に表示させる構成とすることができる。
【００２２】
このような構成によれば、記憶部に楽曲情報が対応付けられることなく記憶された識別情報と同じ識別情報に対応付けて携帯オーディオ端末に記憶された楽曲情報を取得して、楽曲情報を記憶部に識別情報に対応付けて記憶させた際に、楽曲記憶状況情報を表示部に表示させるので、楽曲情報が対応付けられていない楽曲の数を認識することが可能となる。
【００２３】
本発明に係るオーディオ装置において、前記記憶媒体に記憶された一又は複数の楽曲のオーディオ情報に対応付けられた識別情報として、ＴＯＣ情報を用いる構成とすることができる。
【００２４】
このような構成によれば、記憶媒体に記憶された一又は複数の楽曲のオーディオ情報に対応付けられた識別情報としてＴＯＣ情報を用いるので、記録媒体に記録された一又は複数の楽曲のオーディオ情報を識別するためのＴＯＣ情報と楽曲情報とが対応付けられて記憶された携帯オーディオ端末が接続されたときに、記憶部に楽曲情報が対応付けられることなく記憶されたＴＯＣ情報と同じＴＯＣ情報が携帯オーディオ端末に記憶されていると判定されたときに、その同じＴＯＣ情報に対応付けて携帯オーディオ端末に記憶された楽曲情報を取得して、楽曲情報を記憶部にＴＯＣ情報に対応付けて記憶させることが可能となる。
【００２５】
本発明に係る車載機器は、前述したいずれかのオーディオ装置を備える構成となる。
【００２６】
このような構成によれば、記録媒体から一又は複数の楽曲のオーディオ情報と、各楽曲のオーディオ情報を識別するための識別情報とを読み出して、それらを対応付けて記憶部に記憶させ、記憶された識別情報に対応する楽曲情報を取得したときに、その楽曲情報を記憶部に識別情報に対応付けて記憶させ、記憶部に記憶されたオーディオ情報を用いた楽曲再生に係る処理及び前記楽曲情報を用いた所定の処理を行うオーディオ装置を備える車載機器に、記録媒体に記録された一又は複数の楽曲のオーディオ情報を識別するための識別情報と楽曲情報とが対応付けられて記憶された携帯オーディオ端末が接続されたときに、記憶部に楽曲情報が対応付けられることなく記憶された識別情報と同じ識別情報が携帯オーディオ端末に記憶されていると判定されたときに、その同じ識別情報に対応付けて携帯オーディオ端末に記憶された楽曲情報を取得して、楽曲情報を記憶部に識別情報に対応付けて記憶させることが可能となる。
【発明の効果】
【００２７】
本発明に係るオーディオ装置及びそれを用いた車載機器によれば、記録媒体から一又は複数の楽曲のオーディオ情報と、各楽曲のオーディオ情報を識別するための識別情報とを読み出して、それらを対応付けて記憶部に記憶させ、記憶された識別情報に対応する楽曲情報を取得したときに、その楽曲情報を記憶部に識別情報に対応付けて記憶させ、記憶部に記憶されたオーディオ情報を用いた楽曲再生に係る処理及び前記楽曲情報を用いた所定の処理を行うオーディオ装置に、記録媒体に記録された一又は複数の楽曲のオーディオ情報を識別するための識別情報と楽曲情報とが対応付けられて記憶された携帯オーディオ端末が接続されたときに、記憶部に楽曲情報が対応付けられることなく記憶された識別情報と同じ識別情報が携帯オーディオ端末に記憶されていると判定されたときに、その同じ識別情報に対応付けて携帯オーディオ端末に記憶された楽曲情報を取得して、楽曲情報を記憶部に識別情報に対応付けて記憶させることができるので、オーディオ情報及び楽曲情報が記録された携帯オーディオ端末が接続された際に、携帯オーディオ端末が楽曲情報を記憶したサーバに接続することなく、楽曲情報を取得することが可能となる。
【図面の簡単な説明】
【００２８】
【図１】本発明の実施の形態に係るオーディオ装置を含む車載機器と携帯オーディオ端末との構成を示すブロック図である。
【図２】図１に示す携帯オーディオ端末に音楽ＣＤのオーディオ情報、識別情報（ＴＯＣ情報）、及び楽曲情報が記録される工程を示す簡易図である。
【図３】図１に示すオーディオ装置を含む車載機器の処理ユニットが実行する処理の手順を示すフローチャートである。
【図４Ａ】図１に示す車載機器の記憶部に記憶される識別情報及び楽曲情報の対応関係を示す管理テーブルの例（その１）を示す図である。
【図４Ｂ】図１に示す車載機器の記憶部に記憶される識別情報及び楽曲情報の対応関係を示す管理テーブルの例（その２）を示す図である。
【図５Ａ】図１に示す車載機器の表示部に表示される画像の一例（その１）である。
【図５Ｂ】図１に示す車載機器の表示部に表示される画像の一例（その２）である。
【図６】本発明の第２の実施の形態に係る図１に示すオーディオ装置を含む車載機器の処理ユニットが実行する処理の手順を示すフローチャートである。
【図７Ａ】本発明の第３の実施の形態に係る図１に示すオーディオ装置を含む車載機器の処理ユニットが実行する処理の手順を示すフローチャート（その１）である。
【図７Ｂ】本発明の第３の実施の形態に係る図１に示すオーディオ装置を含む車載機器の処理ユニットが実行する処理の手順を示すフローチャート（その１）である。
【図８】図１に示す車載機器の表示部に表示される画像の一例（その３）である。
【図９】図１に示す車載機器の表示部に表示される画像の一例（その４）である。
【図１０】図１に示す車載機器の表示部に表示される画像の一例（その５）である。
【発明を実施するための形態】
【００２９】
本発明の実施の形態について図面を用いて説明する。
【００３０】
本発明の実施の一形態に係るオーディオ装置を含む車載機器は、図１に示すように構成される。
【００３１】
図１において、この車載機器１００は、コンピュータユニット（例えば、ＣＰＵ）によって構成される処理ユニット１１を有している。処理ユニット１１には、各種音源及び映像源（例えば、ＣＤ、ＤＶＤ等）の再生処理が可能なＡＶユニット１７、及び自車両ルート案内等のナビゲーション処理を行うナビゲーションユニット１８が接続されている。また、処理ユニット１１には、スピーカ１６と接続される出力回路１５が接続されており、処理ユニット１１の制御のもと、ＡＶユニット１７及びナビゲーションユニット１８の処理に基づいた音声信号が出力回路１５を介してスピーカ１６から出力される。加えて、処理ユニット１１には、ＡＶユニット１７及びナビゲーションユニット１８にて利用されるオーディオ情報や地図情報等の各情報が記憶される記憶部１４（例えば、ハードディスク）と、ＬＣＤ等によって構成され、映像等の各種情報を表示する表示部１３と、表示部１３上のタッチパネルや操作ボタン等にて構成され、処理に対する指示や各種情報を入力するために用いられる操作部１２とが接続されている。
【００３２】
処理ユニット１１には、有線ケーブルを介してコネクタ１９が接続され、コネクタ１９には、携帯オーディオ端末２０が接続されている。このように、コネクタ１９を介して車載機器１００に接続される携帯オーディオ端末２０には、音声出力することにより楽曲となるオーディオ情報及び音楽ＣＤのトラック数や各トラックに収録された演奏時間が含まれる目録となるＴＯＣ情報（Ｔａｂｌｅ  Ｏｆ  Ｃｏｎｔｅｎｔｓ）が対応付けられて記憶されている。さらに、これらのオーディオ情報及びＴＯＣ情報（識別情報）には、アーティスト、タイトル、トラック名、ジャンル、言語等の楽曲に関する情報である楽曲情報も対応付けられて記憶されている。このようにオーディオ情報が記憶された携帯オーディオ端末２０から、処理ユニット１１は、コネクタ１９を介してオーディオ情報を取得し、取得したオーディオ情報に基づいた音声信号が出力回路１５を介してスピーカ１７から出力するようになっている。
【００３３】
車載機器１００を構成する記憶部１４には、複数のＴＯＣ情報（識別情報）と複数の楽曲情報とがそれぞれ対応付けられたデータベースが備えられている。これにより、車載機器１００において、音楽ＣＤをリッピングする際に当該音楽ＣＤのオーディオ情報に対応するＴＯＣ情報とデータベースに記憶された複数のＴＯＣ情報のいずれかが同一であれば、処理ユニット１１は、そのＴＯＣ情報に対応付けて記憶された楽曲情報を音楽ＣＤから取得したオーディオ情報及びＴＯＣ情報とともに記憶部１４に記憶するようになっている。一方、音楽ＣＤのオーディオ情報に対応するＴＯＣ情報とデータベースに記憶された複数のＴＯＣ情報のいずれもが同一でないときには、処理ユニット１１は、取得したオーディオ情報及びＴＯＣ情報を対応付けて記憶部１４に記憶させるようになっている。また、楽曲情報が対応付けられて記憶されたＴＯＣ情報と楽曲情報が対応付けられていないＴＯＣ情報とは区別されて記憶部１４に記憶されるようになっている。この楽曲情報が対応付けられて記憶されたＴＯＣ情報と、楽曲情報が対応付けられることなく記憶されたＴＯＣ情報とを区別するためにフラグ情報がそれらに対応付けられて記憶されている（詳しくは、後述する。）。
【００３４】
前述した車載機器１００にコネクタ１９を介して接続される携帯オーディオ端末２０は、例えば、図２に示すようにしてオーディオ情報、ＴＯＣ情報（識別情報）及び楽曲情報を取得するようになっている。以下に詳しく説明する。
【００３５】
携帯オーディオ端末２０は、コネクタ１９１を介して、家庭用のパーソナルコンピュータ３０（以下、家庭用パソコンという。）に接続される。この家庭用パソコン３０は、電気通信回線を通じてインターネットに接続する機能及び挿入された記録媒体（例えば、音楽ＣＤ４０）からオーディオ情報及びＴＯＣ情報（識別情報）をリッピングする機能を備えている。このような家庭用パソコン３０に音楽ＣＤ４０を挿入すると、音楽ＣＤ４０に記憶されたオーディオ情報及び識別情報が家庭用パソコン３０内の記憶部に記憶される。そして、家庭用パソコン３０を操作する操作者は、複数の識別情報と複数の楽曲情報とが予め対応付けられて記憶されているサーバ（例えば、グレースノート社の運営するＣＤＤＢサーバ等）にインターネット上で接続し、音楽ＣＤ４０から取得したＴＯＣ情報（識別情報）に対応する楽曲情報を取得する。そして、取得した楽曲情報を音声ＣＤ４０から取得したオーディオ情報及びＴＯＣ情報に対応付けて、家庭用パソコン３０の記憶部に記憶し、これらのオーディオ情報、ＴＯＣ情報、及び楽曲情報をコネクタ１９１を介して携帯オーディオ端末２０に送信する。
【００３６】
このようにして、コネクタ１９１を介して家庭用パソコン３０から送信されたオーディオ情報、識別情報、及び楽曲情報は、携帯オーディオ端末２０の記憶部に記憶されるようになる。このようにして取得されたオーディオ情報に対応付けられた楽曲情報（楽曲のタイトル名称、楽曲名称、アーティスト名等）は、携帯オーディオ端末２０の表示部２０１に表示されるようになっている。このような構成により、携帯オーディオ端末２０では、操作者の再生したい楽曲を容易に選択することが可能となっている。
【００３７】
以上のような方法で、音楽ＣＤに記録されたオーディオ情報、ＴＯＣ情報、及び楽曲情報がそれぞれ対応付けられて記憶された携帯オーディオ端末２０が車載機器１００に接続されると、処理ユニット１１は図３に示す手順に従って携帯オーディオ端末２０から楽曲情報を取得する処理を実行する。
【００３８】
図３において、車載機器１００の処理ユニット１１は、携帯オーディオ端末２０が接続されたか否かを確認しつつ（Ｓ１１）、携帯オーディオ端末２０の接続を確認すると（Ｓ１１でＹＥＳ）、携帯オーディオ端末２０に記憶されたＴＯＣ情報を取得する（Ｓ１２）。そして、車載機器１００の記憶部１４に楽曲情報が対応付けられることなく記憶されたＴＯＣ情報と同じＴＯＣ情報が携帯オーディオ端末２０に記憶されているか否かを判定する（Ｓ１３：識別情報有無判定手段）。すなわち、処理ユニット１１は、車載機器１００で行った音楽ＣＤのリッピングによりオーディオ情報及びＴＯＣ情報を取得した際に、取得したＴＯＣ情報に楽曲情報が対応付けられることなく記憶部１４に記憶されたＴＯＣ情報について、ステップＳ１３の処理を行う。これによって、記憶部１４に楽曲情報が対応付けられることなく記憶されたＴＯＣ情報と同じＴＯＣ情報が携帯オーディオ端末に記憶されていると判定されると（Ｓ１３でＹＥＳ）、処理ユニット１１は、携帯オーディオ端末２０に記憶されたＴＯＣ情報に対応付けた楽曲情報が有れば（Ｓ１４でＹＥＳ）、当該楽曲情報を携帯オーディオ端末２０から取得し、取得した楽曲情報を記憶部１４にＴＯＣ情報に対応付けて記憶させる（Ｓ１５：楽曲情報追加記憶手段）。
【００３９】
例えば、各種音楽ＣＤが車載機器１００においてリッピングされると、図４Ａに示すように、各音楽ＣＤからオーディオ情報、各音楽ＣＤを識別するＴＯＣ情報（識別情報）、及び楽曲情報が対応付けられてテーブル形式で記憶部１４に記憶される。このとき、記憶部１４内のデータベースに音楽ＣＤから取得されたＴＯＣ情報（ＴＯＣ＃１及びＴＯＣ＃３）と同じＴＯＣ情報に対応付けられて記憶された楽曲情報があれば、この楽曲情報を取得し、図４Ａに示すように各種情報を関連付けて記憶する。このとき、楽曲識別情報がＴＯＣ情報及びオーディオ情報に対応付けられて記憶されると、処理ユニット１１は、ＴＯＣ情報に楽曲情報が対応付けられて記憶されていることを示すフラグ情報を０から１に変更する。一方、音楽ＣＤから取得したＴＯＣ情報（ＴＯＣ＃２）と同じＴＯＣ情報に対応付けて記憶されたＴＯＣ情報が記憶部１４に記憶されていなければ、図４Ａに示すように音楽ＣＤから取得したオーディオ情報及びＴＯＣ情報を対応付けて記憶する。
【００４０】
このような場合において、ステップＳ１５における処理がなされると、すなわち、ＴＯＣ情報（ＴＯＣ＃２）と同じＴＯＣ情報が携帯オーディオ端末に記憶されており（Ｓ１３でＹＥＳ、Ｓ１４でＹＥＳ）、携帯オーディオ端末２０に記憶されているＴＯＣ情報に対応付けて携帯オーディオ端末２０に記憶されている楽曲情報（タイトル名、曲名、アーティスト名等）を取得し、取得した楽曲情報をオーディオ情報及びＴＯＣ情報（ＴＯＣ＃２）に対応付けて記憶部１４に記憶するので、記憶部１４に記憶されたテーブルは、図４Ａに示す状態から図４Ｂに示す状態になる。
【００４１】
また、記憶部１４に記憶されたテーブルが図４Ａに示す状態から図４Ｂに示す状態になると、車載機器１００のナビゲーションユニット１８を除く各部から構成されるオーディオ装置によって表示部１３に表示される音声出力すべき楽曲を選択する際の画面は、図５Ａに示す状態から図５Ｂに示す状態に変化する。具体的には、オーディオ情報及びＴＯＣ情報に楽曲情報が対応付けられていない場合には、図５Ａに示すように、タイトル名、曲名、アーティスト名のそれぞれの楽曲情報が存在しないため、表示部１３には「ＮＯ  ＴＩＴＬＥ」と表示されているが、楽曲情報を携帯オーディオ端末２０から取得し、取得したオーディオ情報及びＴＯＣ情報に対応付けて記憶されると、表示部１３には、タイトル名、曲名、アーティスト名が表示されるようになる。
【００４２】
図３に戻って、記憶部１４に楽曲情報が対応付けられることなく記憶されたＴＯＣ情報と同じＴＯＣ情報が携帯オーディオ端末２０に複数記憶されている場合もあることから、処理ユニット１１は、記憶部１４にオーディオ情報及びＴＯＣ情報に楽曲情報が対応付けられていないＴＯＣ情報の全てに対して、ステップＳ１５による処理がなされたか否かを判定する（Ｓ１６）。これによって、記憶部１４にオーディオ情報及びＴＯＣ情報に楽曲情報が対応付けられていないＴＯＣ情報の全てに対して、ステップＳ１５による処理がなされていないと判定されると（Ｓ１６でＮＯ）、処理ユニット１１は、ステップＳ１５に戻って、楽曲情報を携帯オーディオ端末２０から取得し、取得した楽曲情報を記憶部１４にＴＯＣ情報に対応付けて記憶させる処理を繰り返す。
【００４３】
一方、記憶部１４に楽曲情報が対応付けられることなく記憶されたＴＯＣ情報と同じＴＯＣ情報が携帯オーディオ端末に記憶されていないと判定された場合（Ｓ１３でＮＯ）、携帯オーディオ端末２０に記憶されたＴＯＣ情報に対応付けた楽曲情報がない場合（Ｓ１４でＮＯ）、記憶部１４にオーディオ情報及びＴＯＣ情報に楽曲情報が対応付けられていないＴＯＣ情報の全てに対して、ステップＳ１５による処理がなされたと判定されると（Ｓ１６でＹＥＳ）、処理ユニット１１は、携帯オーディオ端末２０からの楽曲情報を取得する処理を終了する。
【００４４】
前述したようなオーディオ装置を含む車載機器１００によれば、音楽ＣＤに記録された一又は複数の楽曲のオーディオ情報を識別するＴＯＣ情報と楽曲情報とが対応付けられて記憶された携帯オーディオ端末２０が接続されたときに、車載機器１００の記憶部１４に楽曲情報が対応付けられることなく記憶されたＴＯＣ情報と同じＴＯＣ情報が携帯オーディオ端末２０に記憶されていると判定されると、その同じＴＯＣ情報に対応付けて携帯オーディオ端末２０に記憶された楽曲情報を取得して、取得した楽曲情報を記憶部１４にＴＯＣ情報に対応付けて記憶させることが可能となる。
【００４５】
また、記憶部１４に楽曲情報が対応付けられることなく記憶されたＴＯＣ情報と、楽曲情報が対応付けられて記憶されたＴＯＣ情報とを区別するフラグ情報が記憶されているので、フラグ情報が「０」のＴＯＣ情報についてのみ、対応するＴＯＣ情報が携帯オーディオ端末２０に記憶されているか否かの判定をすればよいので、より迅速的確に携帯オーディオ端末２０に記憶された楽曲情報を取得することが可能となる。
【００４６】
なお、オーディオ装置を構成する車載機器１００の携帯オーディオ端末２０から楽曲情報を取得する処理は、例えば、図６に示すような処理であってもよい。また、図６において、図３に示した処理と同じ処理については、同番号を付している。ここでは、図３に示す処理と異なる点について、以下に詳しく説明する。
【００４７】
図６において、車載機器１００の処理ユニット１１は、携帯オーディオ端末２０が接続されたか否かを確認しつつ（Ｓ１１）、携帯オーディオ端末２０の接続を確認すると（Ｓ１１でＹＥＳ）、携帯オーディオ端末２０に所定期間において記憶された楽曲があるか否かを判定する（Ｓ２１）。具体的には、例えば、この所定期間が携帯オーディオ端末２０を車載機器１００に接続した日から３月以内に設定されていれば、処理ユニット１１は、携帯オーディオ端末２０が車載機器１００に接続された日から３月以内において記憶された楽曲情報に対応するＴＯＣ情報があるか否かを判定する。
【００４８】
なお、この所定の期間は、任意に設定することが可能であって、前述したように携帯オーディオ端末２０に最新の所定期間において記憶された楽曲情報に対応するＴＯＣ情報が有るか否かを判定してもよいし、例えば、携帯オーディオ端末２０に２年前から１年前の期間において記憶された楽曲情報に対応するＴＯＣ情報が有るか否かを判定するようにしてもよい。
【００４９】
図６に戻って、ステップＳ２１の処理によって、携帯オーディオ端末２０に所定期間において記憶された楽曲があると判定されると（Ｓ２１でＹＥＳ）、処理ユニット１１は、携帯オーディオ端末２０に記憶されたＴＯＣ情報を記憶時間の新しいものから順に取得する（Ｓ２２）。そして、処理ユニット１１は、取得したＴＯＣ情報について前述したステップＳ１３からＳ１６に係る処理を実行する。
【００５０】
前述したようなオーディオ装置を含む車載機器１００によれば、記憶部１４に楽曲情報が対応付けられることなく記憶されたＴＯＣ情報と同じＴＯＣ情報が携帯オーディオ端末２０に記憶されているか否かの判定を、携帯オーディオ端末２０に所定期間（例えば、携帯オーディオ端末２０が接続された日から３月以内等）において記憶された楽曲情報に対応するＴＯＣ情報について行うので、所望の携帯オーディオ端末２０に記憶された楽曲情報をより的確に取得することが可能となる。また、携帯オーディオ端末２０に最新の所定期間において記憶された楽曲情報に対応するＴＯＣ情報について行うので、直近に携帯オーディオ端末２０に記憶された楽曲情報をより迅速的確に取得することが可能となる。
【００５１】
なお、オーディオ装置を構成する車載機器１００の携帯オーディオ端末２０から楽曲情報を取得する処理は、例えば、図７Ａ及び図７Ｂに示すような処理であってもよい。また、図７Ａ及び図７Ｂにおいて、図３に示した処理と同じ処理については、同番号を付している。ここでは、図３に示す処理と異なる点について、以下に詳しく説明する。
【００５２】
図７Ａ及び図７Ｂにおいて、車載機器１００の処理ユニット１１は、前述したステップＳ１１からＳ１６までの処理を行う。そして、ステップＳ１６にて記憶部１４にオーディオ情報及びＴＯＣ情報に楽曲情報が対応付けられていないＴＯＣ情報の全てに対して、ステップＳ１５による処理がなされたと判定されると（Ｓ１６でＹＥＳ）、処理ユニット１１は、車載機器１００において音楽ＣＤをリッピングした際に、記憶部１４に楽曲情報が対応付けられることなく記憶されたＴＯＣ情報に対応する楽曲情報が携帯オーディオ端末２０から取得できたか否かの楽曲情報取得結果及び楽曲情報未取得データリストを作成する（Ｓ３１：楽曲記憶状況制御手段）。そして、処理ユニット１１は、楽曲情報取得結果を表示部１３に表示させる（Ｓ３２：楽曲情報取得報知手段、楽曲記憶状況制御手段）。このとき、表示部１３に表示される画像は、図８に示すようになる。
【００５３】
このとき、ステップＳ３２において表示された画面の楽曲情報が取得された楽曲（例えば、２０１２．６．１１にリッピングされた楽曲）が乗員によって選択されると（Ｓ３３でＹＥＳ）、処理ユニット１１は、楽曲情報詳細情報を表示部１３に表示させる（Ｓ３４：楽曲情報取得報知手段）。例えば、処理ユニット１１は、図９に示すように取得した楽曲情報がアーティスト名、タイトル名等に対応付けられた画面を表示部１３に表示させる。一方、楽曲情報未取得楽曲名が乗員によって選択されると（Ｓ３５でＹＥＳ）、処理ユニット１１は、楽曲情報未取得詳細情報を表示部１３に表示させる（Ｓ３６）。このとき、処理ユニット１１により表示部１３に表示される画像は、図５Ａに示すようになる。そして、処理ユニット１１は、図５Ａに示す画像が表示される表示部１３に形成される操作部１２が操作されることによる楽曲情報の直接入力があるか否かを確認する（Ｓ３７）。これによって、例えば、所定時間内に楽曲情報の直接入力がなされると、処理ユニット１１は、操作部１２を操作することにより出力される操作信号に従って楽曲情報の入力処理を行う（Ｓ３８）。その後、処理ユニット１１は、楽曲記憶状況情報を表示部１３に表示する（Ｓ３９：楽曲記憶状況表示制御手段）。例えば、このときに処理ユニット１１によって表示部１３に表示される画像は、図１０に示すような画像である。
【００５４】
一方、楽曲情報未取得楽曲名が乗員によって選択されない場合（Ｓ３５でＮＯ）、図５Ａに示す画像が表示される表示部１３に形成される操作部１２が操作されることによる楽曲情報の直接入力がない場合（Ｓ３７でＮＯ）、楽曲記憶状況情報を表示部１３に表示した後に、処理ユニット１１は、携帯オーディオ端末２０からの楽曲情報を取得する処理を終了する。
【００５５】
前述したようなオーディオ装置を含む車載機器１００によれば、携帯オーディオ端末２０に記憶された楽曲情報を取得し記憶部１４に記憶したときに、楽曲情報を取得したことを報知するので（Ｓ３２、Ｓ３４）、いずれのオーディオ情報について楽曲情報が対応付けられたのかを認識することが可能となる。また、記憶部１４において楽曲情報が対応付けられることなく記憶されているＴＯＣ情報に対応する各楽曲のオーディオ情報に従って再生されるべき楽曲の数を含む楽曲記憶状況情報を生成し、表示部１３に表示させるので（Ｓ３２、Ｓ３６）、乗員はその表示部１３を見ることにより、どれだけの楽曲数（例えば、３６トラック：図１０参照）について楽曲情報が対応付けられていないのかを認識することが可能となる。
【００５６】
さらに、記憶部１４に楽曲情報が対応付けられることなく記憶されたＴＯＣ情報と同じＴＯＣ情報に対応付けて携帯オーディオ端末２０に記憶された楽曲情報を取得して、楽曲情報を記憶部１４にＴＯＣ情報に対応付けて記憶させた際に、楽曲記憶状況情報を表示部１３に表示させるので（Ｓ３２、Ｓ３９）、最新の楽曲情報が対応付けられていない楽曲数を認識することが可能となる。
【００５７】
なお、本発明の実施の形態において、ステップＳ１６の処理を設け、記憶部１４にオーディオ情報及びＴＯＣ情報に楽曲情報が対応付けられていないＴＯＣ情報の全てに対して、ステップＳ１５による処理がなされたときに、ステップＳ３１以降の処理を行うこととしたが、例えば、楽曲情報を携帯オーディオ端末２０から取得する毎に、その楽曲情報を取得することを報知（例えば、アラーム、所定の箇所が点滅する等、表示部１３に表示することに限られない。）するようにしてもよい。
【００５８】
また、本発明の実施の形態において、車載機器１００の記憶部に、複数の識別情報（ＴＯＣ情報）と複数の楽曲情報が対応付けて記憶されたデータベースがあることとしたが、もちろん、このようなデータベースを持たない車載機器であってもよい。
【００５９】
また、本発明において車載機器１００は、携帯オーディオ端末２０がコネクタ１９を介して接続されることとしたが、例えば、近距離無線通信等による無線状態で接続されるものであってもよい。さらに、携帯オーディオ端末２０が車載機器１００に接続されることとしたが、これに限定されることなく、例えば、携帯電話等であってもよく、オーディオ再生機能を備えてさえいれば、どのようなものでもよい。
【産業上の利用可能性】
【００６０】
以上、説明したように、本発明に係るオーディオ装置及びそれを用いた車載機器は、オーディオ情報及び楽曲情報が記録された携帯オーディオ端末が接続された際に、携帯オーディオ端末が楽曲情報を記憶したサーバに接続することなく、楽曲情報を取得することができるという効果を有し、記録媒体に記録された一又は複数の楽曲のオーディオ情報と、各楽曲のオーディオ情報を識別するための識別情報（ＴＯＣ情報）とを当該記録媒体から読み出してそれらを対応付けて記憶部に記憶させ、該記憶部に記憶された識別情報（ＴＯＣ情報）に対応するオーディオ情報にて再生されるべき楽曲に関する情報である楽曲情報を取得したときに、その楽曲情報を前記記憶部に前記識別情報（ＴＯＣ情報）に対応付けて記憶させ、前記記憶部に記憶されたオーディオ情報を用いた楽曲再生に係る処理及び前記楽曲情報を用いた所定の処理を行うオーディオ装置及びそれを用いた車載機器として有用である。
【符号の説明】
【００６１】
１１  処理ユニット
１２  操作部
１３  表示部
１４  記憶部
１５  出力回路
１６  スピーカ
１７  ＡＶユニット
１８  ナビゲーションユニット
１９  １９１  コネクタ
２０  携帯オーディオ端末
３０  家庭用パーソナルコンピュータ
４０  音楽ＣＤ
５０  インターネット
１００  車載機器
【図１】
2014078293.tif 000003
【図２】
2014078293.tif 000004
【図３】
2014078293.tif 000005
【図４Ａ】
2014078293.tif 000006
【図４Ｂ】
2014078293.tif 000007
【図５Ａ】
2014078293.tif 000008
【図５Ｂ】
2014078293.tif 000009
【図６】
2014078293.tif 000010
【図７Ａ】
2014078293.tif 000011
【図７Ｂ】
2014078293.tif 000012
【図８】
2014078293.tif 000013
【図９】
2014078293.tif 000014
【図１０】
2014078293.tif 000015